(57)【要約】【課題】通信システムの切り替えに掛かる時間を短縮できる無線端末装置、制御方法及び制御システムを提供すること。【解決手段】携帯電話機１は、ＬＴＥシステムにおいて位置登録する前に、予めＣＤＭＡシステムの基地局と同期し、システムタイムを含む同期情報を取得する同期部３１と、同期情報を記憶する記憶部５０と、ＬＴＥシステムにおいて位置登録されている状態で、ＣＤＭＡシステムにおける通信要求が生じた場合、同期情報に基づいて、ＬＴＥシステムの呼出ゾーンに対応するＣＤＭＡシステムの呼出ゾーンの基地局と同期して通信を開始する切替部３２と、を備える。【選択図】図２
2012124660.tif 000002
【特許請求の範囲】
【請求項１】
第１の通信システム又は第２の通信システムのいずれかにおいて無線通信を行う無線端末装置であって、
前記第１の通信システムにおいて位置登録する前に、予め前記第２の通信システムの基地局と同期し、システムタイムを含む同期情報を取得する同期部と、
前記同期情報を記憶する記憶部と、
前記第１の通信システムにおいて位置登録されている状態で、前記第２の通信システムにおける通信要求が生じた場合、前記同期情報に基づいて、前記第１の通信システムの呼出ゾーンに対応する前記第２の通信システムの呼出ゾーンの基地局と同期して通信を開始する切替部と、を備える無線端末装置。
【請求項２】
前記切替部は、前記第１の通信システムを介して前記第２の通信システムへ通信要求を通知する請求項１に記載の無線端末装置。
【請求項３】
前記切替部は、前記第１の通信システムを介して通知される前記第２の通信システムにおける通信チャネルのチャネル情報を用いて、前記基地局と同期する請求項１又は請求項２に記載の無線端末装置。
【請求項４】
前記切替部は、前記第１の通信システムにおいて保持され、３ＧＰＰ  ＴＳ  ２３．２７２に規定されているＣＳ  Ｆａｌｌｂａｃｋ機能のマッピングデータに基づいて、前記第１の通信システムの呼出ゾーンに対応する前記第２の通信システムの呼出ゾーンの基地局と同期する請求項１から請求項３のいずれか１項に記載の無線端末装置。
【請求項５】
第１の通信システム又は第２の通信システムのいずれかにおいて無線通信を行う無線端末装置の制御方法であって、
前記第１の通信システムにおいて位置登録する前に、予め前記第２の通信システムの基地局と同期し、システムタイムを含む同期情報を取得する同期ステップと、
前記同期情報を記憶する記憶ステップと、
前記第１の通信システムにおいて位置登録されている状態で、前記第２の通信システムにおける通信要求が生じた場合、前記同期情報に基づいて、前記第１の通信システムの呼出ゾーンに対応する前記第２の通信システムの呼出ゾーンの基地局と同期して通信を開始する切替ステップと、を含む制御方法。
【請求項６】
第１の通信システム又は第２の通信システムのいずれかにより基地局と無線通信を行う無線端末装置と、各通信システムの基地局と、当該各通信システムの基地局における無線通信をそれぞれ制御する制御装置と、を有する制御システムであって、
前記無線端末装置は、
前記第１の通信システムにおいて位置登録する前に、予め前記第２の通信システムの基地局と同期し、システムタイムを含む同期情報を取得する同期部と、
前記同期情報を記憶する記憶部と、
前記第１の通信システムにおいて位置登録されている状態で、前記第２の通信システムにおける通信要求が生じた場合、前記同期情報に基づいて、前記第１の通信システムの呼出ゾーンに対応する前記第２の通信システムの呼出ゾーンの基地局と同期して通信を開始する切替部と、を備え、
前記第１の通信システムの制御装置は、３ＧＰＰ  ＴＳ  ２３．２７２に規定されているＣＳ  Ｆａｌｌｂａｃｋ機能のマッピングデータを記憶しており、当該マッピングデータに基づいて、前記第１の通信システムの呼出ゾーンに対応する前記第２の通信システムの呼出ゾーンの制御装置を判定し、前記通信要求に関する通知データを、前記無線端末装置から前記第２の通信システムの制御装置へ、又は前記第２の通信システムの制御装置から前記無線端末装置へ送信する制御システム。
【発明の詳細な説明】
【技術分野】
【０００１】
本発明は、複数の通信システムで通信可能な無線端末装置、制御方法及び制御システムに関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【０００３】
ところが、無線端末装置では、ＬＴＥ方式の通信システム（以下、ＬＴＥシステムという）とＣＤＭＡ方式の通信システム（以下、ＣＤＭＡシステムという）との双方を同時に利用することができない。そのため、無線端末装置は、ＬＴＥシステムを利用中に、ＣＤＭＡシステムのページングチャネルを取得できず、着信の有無を知ることができなかった。そこで、３ＧＰＰ  ＴＳ  ２３．２７２において、ＣＳ  Ｆａｌｌｂａｃｋ機能が規定され、この機能により、ＬＴＥシステムでＣＤＭＡシステムからの着信要求を通知することができる（例えば、特許文献１及び非特許文献１参照）。
【０００４】
ＣＳ  Ｆａｌｌｂａｃｋ機能では、ＬＴＥシステムのネットワークに在圏している無線端末装置に対してＣＤＭＡシステムの音声着信があると、この着信呼出は、ＣＳドメインからＥＰＣ（Ｅｖｏｌｖｅｄ  Ｐａｃｋｅｔ  Ｃｏｒｅ）を経由して、無線端末装置へ通知される。着信呼出を受けた無線端末装置は、ＣＳによる音声着信であることを識別し、ＣＤＭＡシステムを捕捉する。そして、無線端末装置は、着信呼出に対する応答をＣＤＭＡシステムへ送信し、ＣＤＭＡシステムの制御によって音声サービスが提供される。
【先行技術文献】
【特許文献】
【０００５】
【特許文献１】特開２００９−２６７９９６号公報
【非特許文献】
【０００６】
【非特許文献１】３ＧＰＰ  ＴＳ  ２３．２７２  Ｖ１０．１．０，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１０−０９
【発明の概要】
【発明が解決しようとする課題】
【０００７】
しかしながら、ＬＴＥシステムを利用中に、ＣＳ  Ｆａｌｌｂａｃｋ機能により通知されたＣＤＭＡシステムの着信呼出に応答する場合や、ＣＤＭＡシステムで発信する場合、無線端末装置は、ＣＤＭＡシステムを捕捉して新たに通信を確立する必要がある。したがって、無線端末装置は、通信を開始するまで、又はＣＤＭＡシステムの圏外等により通信の失敗を判定するまでに時間を要し、利便性の低下が懸念される。さらに、弱電界等によりＣＤＭＡシステムの捕捉に所定以上の時間が掛かると、着信エラーとなる場合もあった。
【０００８】
本発明は、通信システムの切り替えに掛かる時間を短縮できる無線端末装置、制御方法及び制御システムを提供することを目的とする。
【課題を解決するための手段】
【０００９】
本発明に係る無線端末装置は、第１の通信システム又は第２の通信システムのいずれかにおいて無線通信を行う無線端末装置であって、前記第１の通信システムにおいて位置登録する前に、予め前記第２の通信システムの基地局と同期し、システムタイムを含む同期情報を取得する同期部と、前記同期情報を記憶する記憶部と、前記第１の通信システムにおいて位置登録されている状態で、前記第２の通信システムにおける通信要求が生じた場合、前記同期情報に基づいて、前記第１の通信システムの呼出ゾーンに対応する前記第２の通信システムの呼出ゾーンの基地局と同期して通信を開始する切替部と、を備える。
【００１０】
また、前記切替部は、前記第１の通信システムを介して前記第２の通信システムへ通信要求を通知することが好ましい。
【００１１】
また、前記切替部は、前記第１の通信システムを介して通知される前記第２の通信システムにおける通信チャネルのチャネル情報を用いて、前記基地局と同期することが好ましい。
【００１２】
また、前記切替部は、前記第１の通信システムにおいて保持され、３ＧＰＰ  ＴＳ  ２３．２７２に規定されているＣＳ  Ｆａｌｌｂａｃｋ機能のマッピングデータに基づいて、前記第１の通信システムの呼出ゾーンに対応する前記第２の通信システムの呼出ゾーンの基地局と同期することが好ましい。
【００１３】
本発明に係る制御方法は、第１の通信システム又は第２の通信システムのいずれかにおいて無線通信を行う無線端末装置の制御方法であって、前記第１の通信システムにおいて位置登録する前に、予め前記第２の通信システムの基地局と同期し、システムタイムを含む同期情報を取得する同期ステップと、前記同期情報を記憶する記憶ステップと、前記第１の通信システムにおいて位置登録されている状態で、前記第２の通信システムにおける通信要求が生じた場合、前記同期情報に基づいて、前記第１の通信システムの呼出ゾーンに対応する前記第２の通信システムの呼出ゾーンの基地局と同期して通信を開始する切替ステップと、を含む。
【００１４】
本発明に係る制御システムは、第１の通信システム又は第２の通信システムのいずれかにより基地局と無線通信を行う無線端末装置と、各通信システムの基地局と、当該各通信システムの基地局における無線通信をそれぞれ制御する制御装置と、を有する制御システムであって、前記無線端末装置は、前記第１の通信システムにおいて位置登録する前に、予め前記第２の通信システムの基地局と同期し、システムタイムを含む同期情報を取得する同期部と、前記同期情報を記憶する記憶部と、前記第１の通信システムにおいて位置登録されている状態で、前記第２の通信システムにおける通信要求が生じた場合、前記同期情報に基づいて、前記第１の通信システムの呼出ゾーンに対応する前記第２の通信システムの呼出ゾーンの基地局と同期して通信を開始する切替部と、を備え、前記第１の通信システムの制御装置は、３ＧＰＰ  ＴＳ  ２３．２７２に規定されているＣＳ  Ｆａｌｌｂａｃｋ機能のマッピングデータを記憶しており、当該マッピングデータに基づいて、前記第１の通信システムの呼出ゾーンに対応する前記第２の通信システムの呼出ゾーンの制御装置を判定し、前記通信要求に関する通知データを、前記無線端末装置から前記第２の通信システムの制御装置へ、又は前記第２の通信システムの制御装置から前記無線端末装置へ送信する。
【発明の効果】
【００１５】
本発明によれば、無線端末装置において、通信システムの切り替えに掛かる時間を短縮できる。
【図面の簡単な説明】
【００１６】
【図１】本発明の実施形態に係る携帯電話機の外観斜視図である。
【図２】本発明の実施形態に係る携帯電話機の機能を示すブロック図である。
【図３】本発明の実施形態に係る電源投入時の処理を示すフローチャートである。
【図４】本発明の実施形態に係るハンドオフ時の処理を示すフローチャートである。
【図５】本発明の実施形態に係るＬＴＥシステムのネットワークを利用時に音声着信があったときの処理を示すシーケンス図である。
【図６】本発明の実施形態に係るＬＴＥシステムのネットワークを利用時に音声発信要求があったときの処理を示すシーケンス図である。
【発明を実施するための形態】
【００１７】
以下、本発明の好適な実施形態の一例について説明する。なお、本実施形態では、無線端末装置の一例として携帯電話機１を説明する。
【００１８】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１９】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２０】
また、表示部側筐体３は、表面部２０に、各種情報を表示するための表示部２１と、通話の相手側の音声を出力するレシーバ２２と、を備えて構成されている。
【００２１】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２２】
図２は、本実施形態に係る携帯電話機１の機能を示すブロック図である。
携帯電話機１は、操作部１１と、表示部２１と、制御部３０と、通信部４０と、記憶部５０と、音声制御部６０とを備える。
【００２３】
制御部３０は、携帯電話機１の全体を制御しており、例えば、表示部２１、通信部４０等の各部に対して所定の制御を行う。また、制御部３０は、操作部１１や通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２４】
通信部４０は、所定の使用周波数帯（例えば、２ＧＨｚ帯や８００ＭＨｚ帯等）で外部装置（基地局）と通信を行う。そして、通信部４０は、アンテナより受信した信号を復調処理し、処理後の信号を制御部３０に供給し、また、制御部３０から供給された信号を変調処理し、アンテナから外部装置に送信する。
【００２５】
ここで、通信部４０は、本実施形態においては、音声及びデータ通信用の通信プロトコルであるＷ−ＣＤＭＡやＣＤＭＡ２０００＿１ｘ（以下、ＣＤＭＡという）方式と、主に高速データ通信に用いられる通信プロトコルであるＬＴＥ方式との双方に対応しており、いずれのプロトコルの通信システムでも通信可能である。通信部４０は、制御部３０からの指令に基づいて、いずれかのプロトコルにより基地局と通信を行う。なお、携帯電話機１は、データ通信時にはＬＴＥ方式によるＬＴＥシステム（第１の通信システム）での通信を優先し、音声通話時には、ＣＤＭＡ方式によるＣＤＭＡシステム（第２の通信システム）での通信へ切り替えるものとする。
【００２６】
記憶部５０は、例えば、ワーキングメモリを含み、制御部３０による演算処理に利用される。また、本実施形態に係る各種プログラム等を記憶する。さらに、記憶部５０は、ＬＴＥシステムを利用中、ＣＤＭＡシステムのシステムタイム情報を記憶している。具体的には、記憶部５０は、ＬＴＥシステムのシステムタイムとＣＤＭＡシステムのシステムタイムとの差分を記憶する。そして、制御部３０は、ＬＴＥシステムからＣＤＭＡシステムへハンドオフする際に、ＬＴＥシステムのシステムタイムとの組み合わせにより、ＣＤＭＡシステムと同期するためのシステムタイムを算出する。
【００２７】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナより出力する。
【００２８】
次に制御部３０の機能を詳述する。
制御部３０は、同期部３１と、切替部３２とを備え、ＬＴＥシステムからＣＤＭＡシステムへのハンドオフ制御を行う。
【００２９】
同期部３１は、携帯電話機１の電源投入時や移動に伴うハンドオフが発生した時等、ＬＴＥシステムにおいて位置登録する前に、予めＣＤＭＡシステムの基地局と同期し、ＣＤＭＡシステムにおけるシステムタイムを同期情報として取得する。具体的には、同期部３１は、ＣＤＭＡシステムを捕捉し、パイロットチャネル（ｐｉｌｏｔ  ｃｈａｎｎｅｌ）及び同期チャネル（ｓｙｎｃ  ｃｈａｎｎｅｌ）を取得する。同期情報は、ＣＤＭＡシステムと同期するためのタイミングを示し、上述のシステムタイム、ＰＮ符号のオフセット及びウォルシュ符号を含む。
【００３０】
切替部３２は、ＬＴＥシステムにおいて位置登録されている状態で、ＣＤＭＡシステムにおける通信要求が生じた場合、同期部３１により予め取得されている同期情報に基づいて、ＬＴＥシステムの呼出ゾーンに対応するＣＤＭＡシステムの呼出ゾーンの基地局と同期して通信を開始する。
【００３１】
すなわち、切替部３２は、ＣＤＭＡシステムからＣＳ  Ｆａｌｌｂａｃｋ機能により通知される音声通話の着信呼出へ応答する場合や、音声通話の発信要求があった場合、同期情報により示されるタイミングで、ＣＤＭＡシステムの基地局と同期する。予め取得された同期情報を用いることにより、ＣＤＭＡシステムを探索する時間が削減され、切替部３２は、短時間で通信を確立できる。
【００３２】
また、切替部３２は、ＣＤＭＡシステムの基地局と同期する前に、ＬＴＥシステムを介してＣＤＭＡシステムへ通信要求、すなわち着信応答又は発信要求を通知する。そして、切替部３２は、ＬＴＥシステムを介して通知されるＣＤＭＡシステムにおける通信チャネルの同期情報を用いて、基地局と同期する。
【００３３】
このとき、ＬＴＥシステムの制御装置（以下、ＬＴＥ制御装置という）は、ＣＳ  Ｆａｌｌｂａｃｋ機能のマッピングデータに基づいて、ＬＴＥシステムの呼出ゾーンに対応するＣＤＭＡシステムの呼出ゾーンを判定し、この呼出ゾーンを管理する制御装置（以下、ＣＤＭＡ制御装置という）と連携して、各種通知データの送受信を行う。
【００３４】
図３は、本実施形態に係る携帯電話機１における電源投入時の処理を示すフローチャートである。
【００３５】
ステップＳ１において、携帯電話機１の電源がＯＮになると、制御部３０は、所定の起動処理を実行し、基地局の捕捉及び位置登録の処理を開始する。
【００３６】
ステップＳ２において、制御部３０（同期部３１）は、ＣＤＭＡシステムをサーチし、パイロットチャネルを捕捉する。
【００３７】
ステップＳ３において、制御部３０（同期部３１）は、ＣＤＭＡシステムと符号同期してｓｙｎｃチャネルを受信し、システムタイムを取得する。
【００３８】
ステップＳ４において、制御部３０（同期部３１）は、ステップＳ３で取得したＣＤＭＡシステムのシステムタイムを記憶部５０に記憶する。
【００３９】
ステップＳ５において、制御部３０（同期部３１）は、ステップＳ３で取得したシステムタイムに基づいてＣＤＭＡシステムと時間同期する。そして、制御部３０（同期部３１）は、周辺チャネルや基地局位置等を取得するため、さらに、次回に同じＣＤＭＡシステムとの通信を確立するための情報（周波数チャネル、ＰＮ情報等）を取得するために、ページングチャネルのオーバーヘッドメッセージを受信する。
【００４０】
ステップＳ６において、制御部３０は、ＣＤＭＡシステムよりも優先されるＬＴＥシステムを起動させるために、ＣＤＭＡシステムをサスペンドする。
【００４１】
ステップＳ７において、制御部３０は、ＬＴＥシステムを起動し、同期処理を開始する。
【００４２】
ステップＳ８において、制御部３０は、同期したＬＴＥシステムのシステムタイムを取得する。
【００４３】
ステップＳ９において、制御部３０は、ステップＳ８で取得したＬＴＥシステムのシステムタイムと、ステップＳ３で取得したＣＤＭＡシステムのシステムタイムとの差分を算出し、記憶部５０に記憶する。
【００４４】
ステップＳ１０において、制御部３０は、ＬＴＥシステムにおいて着信待ち受け状態となり、ＬＴＥでのデータ通信が可能となると共に、ＣＳ  Ｆａｌｌｂａｃｋ機能によるＣＤＭＡシステムの着信報知の受信が可能となる。
【００４５】
図４は、本実施形態に係る携帯電話機１におけるハンドオフ時の処理を示すフローチャートである。
【００４６】
ステップＳ１１において、制御部３０は、基地局からの電波状況の変化に基づいて、ＬＴＥシステムのエリアを変更するハンドオフを実行する。
【００４７】
ステップＳ１２において、制御部３０は、ハンドオフ先のＬＴＥシステムのシステムタイムを取得し、記憶部５０に記憶する。さらに、制御部３０は、ハンドオフ先のＬＴＥシステムから、近隣に存在するＣＤＭＡシステムの周波数及びＰＮ情報を取得してもよい。
【００４８】
ステップＳ１３において、制御部３０は、ＣＤＭＡシステムを捕捉するために、一旦、ＬＴＥシステムをサスペンドする。
【００４９】
ステップＳ１４において、制御部３０（同期部３１）は、ＣＤＭＡシステムをサーチし、パイロットチャネルを捕捉する。なお、制御部３０（同期部３１）は、ステップＳ１２においてＣＤＭＡシステムの周波数及びＰＮ情報を取得していた場合には、この情報にサーチ対象を限定することにより、短時間でサーチできる。
【００５０】
ステップＳ１５において、制御部３０（同期部３１）は、ＣＤＭＡシステムと符号同期してｓｙｎｃチャネルを受信し、システムタイムを取得する。
【００５１】
ステップＳ１６において、制御部３０（同期部３１）は、ステップＳ１５で取得したＣＤＭＡシステムのシステムタイムを記憶部５０に記憶する。
【００５２】
ステップＳ１７において、制御部３０（同期部３１）は、ステップＳ１５で取得したシステムタイムに基づいてＣＤＭＡシステムと時間同期し、次回に同じＣＤＭＡシステムと通信を確立するための情報（周波数チャネル、ＰＮ情報等）を取得するために、ページングチャネルのオーバーヘッドメッセージを受信する。
【００５３】
ステップＳ１８において、制御部３０は、ステップＳ１２で取得したＬＴＥシステムのシステムタイムと、ステップＳ１５で取得したＣＤＭＡシステムのシステムタイムとの差分を算出し、記憶部５０に記憶する。
【００５４】
ステップＳ１９において、制御部３０は、ステップＳ１３でサスペンドしたＬＴＥシステムを起動させるために、ＣＤＭＡシステムをサスペンドする。
【００５５】
ステップＳ２０において、制御部３０は、ＬＴＥシステムを起動して着信待ち受け状態となり、ＬＴＥでのデータ通信が可能となると共に、ＣＳ  Ｆａｌｌｂａｃｋ機能によるＣＤＭＡシステムの着信報知の受信が可能となる。
【００５６】
なお、本処理において、システムタイムの差分の算出（ステップＳ１８）は、ＬＴＥシステムを起動（ステップＳ２０）した後に取得したシステムタイムを用いてもよい。
【００５７】
図５は、本実施形態に係るＬＴＥシステムのネットワークを利用時に音声着信があったときの処理を示すシーケンス図である。
【００５８】
ステップＳ２１において、携帯電話機１は、ＬＴＥ制御装置による管理の下、ＬＴＥシステムのネットワークを利用している。
【００５９】
ステップＳ２２において、ＣＤＭＡ制御装置は、携帯電話機１に対するＣＤＭＡシステムでの音声着信を受信する。
【００６０】
ステップＳ２３において、ＣＤＭＡ制御装置は、ＣＳ  Ｆａｌｌｂａｃｋ機能により、ステップＳ２２の音声着信を、ＣＳ及びＥＰＣを経由してＬＴＥ制御装置へ通知する。
【００６１】
ステップＳ２４において、ＬＴＥ制御装置は、ステップＳ２３で通知された音声着信に基づいて、携帯電話機１に対して、着信呼出を行う。
【００６２】
ステップＳ２５において、携帯電話機１は、ステップＳ２４の着信呼出に対する着信応答を、ＬＴＥ制御装置へ送信する。
【００６３】
ステップＳ２６において、ＬＴＥ制御装置は、ステップＳ２５の着信応答を、ＥＰＣ及びＣＳを経由して、ＣＤＭＡ制御装置へ通知する。
【００６４】
ステップＳ２７において、ＣＤＭＡ制御装置は、着信応答を行った携帯電話機１が正規のユーザであることを確認するための認証処理を行う。なお、この認証処理は、省略可能である。
【００６５】
ステップＳ２８において、ＣＤＭＡ制御装置は、着信応答を行った携帯電話機１が音声通話を行うために、ＣＤＭＡシステムにおいて割り当てる通信チャネルを決定する。
【００６６】
ステップＳ２９において、ＣＤＭＡ制御装置は、ステップＳ２８で割り当てられた通信チャネルと同期するためのチャネル情報を、ＣＳ及びＥＰＣを経由してＬＴＥ制御装置へ通知する。同期情報は、具体的には、ＰＮ符号のオフセット、バンドクラス等の周波数チャネル、識別情報（ウォルシュコード）を含む。
【００６７】
ステップＳ３０において、ＬＴＥ制御装置は、ステップＳ２９で通知されたＣＤＭＡシステムの通信チャネルと同期するためのチャネル情報を、携帯電話機１へ通知する。
【００６８】
ステップＳ３１において、携帯電話機１は、ステップＳ３０で取得したチャネル情報を用いて通信チャネルと同期し、ＣＤＭＡシステムとの通信を確立させる。
【００６９】
ステップＳ３２において、携帯電話機１は、ステップＳ３１で同期した通信チャネルを用いて、ＣＤＭＡシステムのネットワーク上での音声通信を行う。
【００７０】
ステップＳ３３において、携帯電話機１は、ステップＳ３２の音声通信が終了すると、ＣＤＭＡシステムよりも優先されるＬＴＥシステムのネットワークに復帰する。
【００７１】
図６は、本実施形態に係るＬＴＥシステムのネットワークを利用時に音声発信要求があったときの処理を示すシーケンス図である。
【００７２】
ステップＳ４１において、携帯電話機１は、ＬＴＥ制御装置による管理の下、ＬＴＥシステムのネットワークを利用している。
【００７３】
ステップＳ４２において、携帯電話機１は、ユーザから操作部１１等により音声通話の発信要求を受け付ける。
【００７４】
ステップＳ４３において、携帯電話機１は、ステップＳ４２で受け付けた発信要求を、位置登録しているＬＴＥシステムのＬＴＥ制御装置へ通知する。
【００７５】
ステップＳ４４において、ＬＴＥ制御装置は、ステップＳ４３の発信要求を、ＥＰＣ及びＣＳを経由して、マッピングデータにより対応付けされているＣＤＭＡ制御装置へ通知する。
【００７６】
ステップＳ４５において、ＣＤＭＡ制御装置は、発信要求を行った携帯電話機１が正規のユーザであることを確認するための認証処理を行う。なお、この認証処理は、省略可能である。
【００７７】
ステップＳ４６において、ＣＤＭＡ制御装置は、発信要求を行った携帯電話機１が音声通話を行うために、ＣＤＭＡシステムにおいて割り当てる通信チャネルを決定する。
【００７８】
ステップＳ４７において、ＣＤＭＡ制御装置は、ステップＳ４６で割り当てられた通信チャネルと同期するための同期情報を、ＣＳ及びＥＰＣを経由してＬＴＥ制御装置へ通知する。同期情報は、具体的には、ＰＮ符号のオフセットを含む。
【００７９】
ステップＳ４８において、ＬＴＥ制御装置は、ステップＳ４７で通知されたＣＤＭＡシステムの通信チャネルと同期するための同期情報を、携帯電話機１へ通知する。
【００８０】
ステップＳ４９において、携帯電話機１は、ステップＳ４８で取得した同期情報を用いて通信チャネルと同期し、ＣＤＭＡシステムとの通信を確立させる。
【００８１】
ステップＳ５０において、携帯電話機１は、ステップＳ４９で同期した通信チャネルを用いて、ＣＤＭＡシステムのネットワーク上での音声通信を行う。
【００８２】
ステップＳ５１において、携帯電話機１は、ステップＳ５０の音声通信が終了すると、ＣＤＭＡシステムよりも優先されるＬＴＥシステムのネットワークに復帰する。
【００８３】
以上のように、本実施形態によれば、携帯電話機１は、ＬＴＥシステムにおいて位置登録する場合にも、予めＣＤＭＡシステムの同期情報を保持している。これにより、携帯電話機１は、音声通信の開始に伴って、ＬＴＥシステムからＣＤＭＡシステムへハンドオフする場合、新たに基地局を探索することなく通信チャネルと同期でき、通信システムの切り替えに掛かる時間を短縮できる。
【００８４】
さらに、携帯電話機１は、音声通信を開始するにあたって、ＬＴＥシステムを介してＣＤＭＡシステムへ通信要求を通知すると共に、ＣＤＭＡシステムの同期情報を取得する。これにより、携帯電話機１は、発着信の待ち受けをＬＴＥシステム上でのみ行い、音声通信を開始する際のアクセス処理をＬＴＥ上で行う。したがって、携帯電話機１は、ＣＤＭＡシステムにおける下りのページングチャネル、及び上りのアクセスチャネルを使用する必要がないので、無線リソースを有効活用できる。
【００８５】
また、携帯電話機１は、ＣＳ  Ｆａｌｌｂａｃｋ機能のマッピングデータに基づいて、ＣＤＭＡシステムの呼出ゾーンにおける通信チャネルが割り当てられるので、同期可能な通信チャネルが容易に決定され、処理負荷が低減される。
【００８６】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００８７】
前述の実施形態におけるＷ−ＣＤＭＡ方式、ＣＤＭＡ２０００＿１ｘ方式及びＬＴＥ方式は一例に過ぎず、他の通信プロトコルであってもよい。位置登録の際のゾーン間の連携さえあれば、例えば、ＧＳＭ方式と他のデータ通信に特化した方式であっても同様である。
【００８８】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００８９】
１  携帯電話機（無線端末装置）
１１  操作部
２１  表示部
３０  制御部
３１  同期部
３２  切替部
４０  通信部
５０  記憶部
６０  音声制御部
【図１】
2012124660.tif 000003
【図２】
2012124660.tif 000004
【図３】
2012124660.tif 000005
【図４】
2012124660.tif 000006
【図５】
2012124660.tif 000007
【図６】
2012124660.tif 000008